(57)【要約】本発明は偏向回路（１）用の電源（９）に関し、該偏向回路は映像管に接続する偏向コイル（２）と、該偏向コイル（２）に接続された駆動回路（４、５、６）と、該駆動回路（４、５、６）を制御する偏向コントローラ（３）とを有している。本発明によれば、上記電源（９）は、上記駆動回路（４、５、６）の出力端と上記偏向コイルとに接続された第１入力端（１０、１１）と、電力源（Ｖｉｎｐｕｔ）に接続された第２入力端と、上記駆動回路（４、５、６）に接続された電源出力端（１３）と、上記第２入力端（Ｖｉｎｐｕｔ）から出力端（１３）への電源出力（ＶＰ）を上記第１入力端（１０、１１）の入力に応じて調節する調節器とを有している。
2004515124.tif 000002
【特許請求の範囲】
【請求項１】
偏向回路用の電源であって、該偏向回路が、
表示管用の偏向コイルと、
前記偏向コイルに結合された駆動回路と、
を有するような電源において、該電源が、
前記駆動回路の出力端と前記偏向コイルの一端とに結合された第１入力端と、
電力源に結合された第２入力端と、
前記駆動回路に結合された電源出力端と、
前記第２入力端から前記電源出力端へ供給される電源出力を前記第１入力端の入力に基づいて調節する調節器と、
を有していることを特徴とする偏向回路用の電源。
【請求項２】
請求項１に記載の電源において、前記調節器は、前記電源出力を連続的に変調して、前記駆動回路を該駆動回路が必要とする電圧範囲を超えないようにするような変調器を有していることを特徴とする電源。
【請求項３】
請求項１に記載の電源において、前記駆動回路は前記偏向コイルの各端部に結合された２つの出力端を有し、当該電源が前記駆動回路の前記２つの出力端に各々接続された２つの入力端を有していることを特徴とする電源。
【請求項４】
請求項１に記載の電源において、前記調節器が、コイルとダイオードとコンデンサとを備える回路を有していることを特徴とする電源。
【請求項５】
請求項１に記載の電源において、前記電源出力端と前記電力源との間に接続されたスイッチを有していることを特徴とする電源。
【請求項６】
請求項５に記載の電源において、前記スイッチは、完全導通状態に駆動されるように前記電力源に結合されたゲートを有する電界効果電力トランジスタであることを特徴とする電源。
【請求項７】
請求項１に記載の電源において、前記偏向回路に対して出力されるべき最小電源レベルを規定する最小電源レベル設定回路を有していることを特徴とする電源。
【請求項８】
請求項１に記載の電源において、起動回路を有していることを特徴とする電源。
【請求項９】
表示管と、
偏向回路と、
請求項１に記載の偏向回路用の電源と、
を有することを特徴とする表示装置。
【請求項１０】
装置用の電源であって、該装置が、
前記装置を駆動するコイルと、
前記コイルに結合された駆動回路と、
を有するような電源において、該電源が、
前記駆動回路の出力端と前記コイルとに結合された第１入力端と、
電力源に結合された第２入力端と、
前記駆動回路に結合された電源出力端と、
前記第２入力端から前記電源出力端へ供給される電源出力を前記第１入力端の入力に基づいて調節するような調節器であって、該調節器が前記電源出力を連続的に変調して前記駆動回路を該駆動回路が必要とする電圧範囲を超えないようにする変調器を有しているような調節器と、
を有していることを特徴とする装置用の電源。
【発明の詳細な説明】
【０００１】
【発明の属する技術分野】
本発明は、コイルと該コイルに結合された駆動回路とを有するような装置用の電源に関する。また、本発明は斯様な電源を有する表示装置にも関する。
【０００２】
【従来の技術】
既知の構成においては、斯かる電源は好ましくは安定した一定の電源電圧を供給する。既知の構成は、特に画像表示管の走査のうちの、偏向コイルに出力されるべき電流が最大値より小さな絶対値を有している部分において電力損失が著しいという欠点を有している。
【０００３】
【発明が解決しようとする課題】
本発明の目的は、とりわけ、改善された電源を提供することにある。
【０００４】
【課題を解決するための手段】
この目的のため、本発明は独立請求項に記載されたような電源を提供する。有利な実施例は、従属請求項に記載されている。
【０００５】
本発明の好ましい実施例は、垂直偏向回路用の電源であって、該偏向回路が、映像管に接続する偏向コイルと、該偏向コイルに接続される駆動回路と、該駆動回路を制御する偏向コントローラとを有するような電源において、該電源が、前記駆動回路の出力端と前記偏向コイルの一端とに接続された第１入力端と、電力源に接続された第２入力端と、前記駆動回路に接続された電源出力端と、前記第２入力端から前記出力端への電源出力を前記第１入力端の入力に基づいて調節する調節器とを有するような電源を提供する。
【０００６】
このように、本発明による電源は上記駆動回路の出力端における電圧を監視するとの思想に基づくものである。当該電源出力は、上記調節器により、上記のようにして得られた情報に基づいて調節される。従って、上述した電圧レベルが、上記駆動回路が出力端において線形な振る舞いを示すようなレベルに調節されるならば、本発明によれば上記垂直出力回路における電力損失は最小化される。これにより、当該電源電圧は良好な動作に対して必要なだけ低くされる。好ましくは、該電源電圧は上記偏向コイル上の電圧に従うものとするが、最小でも、当該垂直偏向出力回路ＩＣにより必要とされる最小電圧に等しいものとする。
【０００７】
上記駆動回路は上記偏向コイルへの２つの出力端と、戻り又は帰還入力端とを備えるようなブリッジ回路を有することができ、その場合、上記電源は、各々が出力段の前記偏向コイルの側に接続されるような２つの第１入力端を有する。このような実施例においては、走査の第１半部に関しては上記２つの出力端のうちの第１のものと接地との間の電圧が監視される一方、走査の第２半部に関しては上記２つの出力端のうちの第２のものと接地との間の電圧が観察される。これら電圧の値は、走査の特定の時間点における当該偏向コイルの要件に従い調整することにより最適化される。
【０００８】
上記電源電圧の変調は少なくとも２つの方法で実施することができる。該変調は線形とすることができ、その場合は電力トランジスタが垂直偏向出力段に直列な可変抵抗として使用される。この場合、電力消費は前記出力段から当該変調電源へ移転される。より良い方法は、スイッチモード電源を使用することである。ここでは、パストランジスタがスイッチとして使用される。出力は、インダクタとコンデンサとにより濾波することができる。この場合、全電力消費は大幅に低減される。該システムは、集積化することができないインダクタとコンデンサとを必要とする。垂直偏向段の電源電圧はより多くのリップルを含み得、該リップルは、該垂直偏向段が電源のリップルを良好に阻止しないとスクリーン上で見えることになり得る。この電源の変調は当該偏向増幅器の安定性に対して幾らかの影響を有し得る。該増幅器の電源（リップル）阻止率は、スクリーン上に可視のアーチファクトを生成しないように充分に高くなければならない。
【０００９】
本発明の利点は、顧客、即ちテレビジョン又はモニタの装置メーカが、垂直偏向出力段に対する正しい電源電圧の選択に関して心配する必要がないことにある。上記電源変調回路が、出力段の電源電圧が常に最適となるようにする。電源電圧が最適値より高いような状況と比較して、電力節約は大幅なものとすることができる。他の利点は、ヒートシンクの寸法を低減することができる点にある。
【００１０】
本発明の他の特徴、実施例及び作用効果が、添付図面を参照して以下に更に詳細に説明される。尚、種々の実施例の説明及び図においては、同一の符号が同一の又は同様の構成要素に対して使用されている。
【００１１】
【発明の実施の形態】
図１の垂直偏向回路１は、管（図示略）上の走査の垂直偏向のための垂直偏向コイル２を有している。
【００１２】
偏向コイル２は、該偏向コイル２へのライン１０及びライン１１を介して“ＯＵＴＡ”及び“ＯＵＴＢ”を各々出力する第１出力段５及び第２出力段６により給電される。コイル２からの帰還ライン１２も設けられ、該帰還ラインは上記第１及び第２出力段５及び６を駆動する駆動回路４に接続されている。
【００１３】
上記駆動回路４並びに出力段５及び６は、保護回路８（以下においては、これ以上説明しない）と共に、図１において破線で参照される符号７により示される集積回路（例えば、ＴＤＡ８３５７Ｊ）に集積化されている。該集積回路７の入力側には、駆動回路４を制御するための偏向コントローラ３が存在する。
【００１４】
更に、図１の構成は電源９を有し、該電源は垂直偏向回路１の電力消費を低下させることを意図するものである。
【００１５】
当業者にとり、垂直偏向回路の機能動作は良く知られているので、該回路のこれ以上の説明はここでは省略する。しかしながら、駆動回路４の出力段５及び６に対するライン１３上の所要の電源電圧に関しては、以下の考察がなされる。通常の従来の態様で、一定の安定した電源電圧が使用される場合、以下の配慮がなされなければならない。
【００１６】
最小の所要の一定の安定した電源電圧を計算するためには、幾つかの特定のアプリケーションパラメータ値が知られていなければならない。これらのパラメータは、所要の最大（ピーク）偏向コイル電流Ｉｃｏｉｌ（ｐｅａｋ）、コイルパラメータ（Ｒ及びＬ）、及び抵抗１４の測定抵抗値である。
【００１７】
上記偏向コイル抵抗値は、熱い状態を考慮して１．２で乗算されねばならない。
【００１８】
上記垂直出力段の電圧ロスに関しては、素直な形で、値を得ることができる。走査の第１部分に関しては、電圧ロスはＶｌｏｓｓ（１）により与えられる。走査の第２部分に関しては電圧ロスはＶｌｏｓｓ（２）により与えられる。
【００１９】
走査の間における偏向コイルの間の電圧降下は、当該コイルのインピーダンスにより決定される。走査の第１部分に関しては、全コイル電圧降下に対する誘導的寄与及び抵抗的寄与は反対の符号のものである一方、走査の第２部分に関しては上記誘導的部分と抵抗的部分とは同一の符号を有する。
【００２０】
垂直周波数に関しては、発生する最大周波数が計算に適用されねばならない。
走査の第１部分に対する所要の電源電圧ＶＰは、
2004515124.tif 000003
により与えられる。
走査の第２部分に関する所要の電源電圧ＶＰは、
2004515124.tif 000004
により与えられる。
【００２１】
所要の最小の電源電圧ＶＰは、上記２つの値ＶＰ（１）及びＶＰ（２）のうちの最も高い方であるべきである。電源電圧及び部品のバラツキも考慮されねばならない。
全電力消費は：
Ｐｔｏｔ ＝ Ｐｓｕｐ − ＰＬ
なる式により与えられる。
供給されるべき電力は：
2004515124.tif 000005
なる式により与えられる。
この式において、０．３［Ｗ］はフライバック電源におけるロスの平均を表している。
偏向コイル及び測定抵抗における平均の外部負荷電力消費は：
ＰＬ ＝ （（Ｉｃｏｉｌ（ｐｅａｋ））２）／３ ｘ （Ｒｃｏｉｌ＋ＲＭ）
なる式により与えられる。
【００２２】
上記計算から、従来技術による全電力消費及び何れにせよ供給されるべき電力は、少なくとも最大コイル電流が考慮されるべきであるという仮定に直接関係しているが、偏向コイル２で実現されるべき走査の或る段階において必要とされるコイル電流は、画像の中間においては零まで低くなり得ることが明らかであろう。上記仮定に基づいて常に電源電圧を供給すれば、全電力消費は高くなるであろう。
【００２３】
従って、本発明の一態様は、図１において符号９により示されると共に、図２に一例が詳細に示されるような適応型電源を提供する。電源電圧ＶＰを、実際に必要とされるコイル電流に依存し、従って１つの走査の過程において減少及び増加するような変数とすることにより、全電力消費を大幅に低下させることができる。
【００２４】
電源９は、出力段５及び６の何れか一方の導通出力トランジスタと接地との間の電圧を監視する。
【００２５】
垂直出力回路即ちＩＣ７における電力損失は、ライン１３における電圧レベルＶＰが、当該出力装置の振る舞いが少なくとも近似により線形な振る舞いに相当するようなレベルに調節される場合に、最小化される。走査の第１半部に関しては、ライン１１及び接地間のＯＵＴＢ上の電圧が監視される一方、走査の第２部分に関してはライン１０及び接地間のＯＵＴＡ上の電圧が監視される。
【００２６】
上記各電圧は、ライン１３の電源の値ＶＰを介して最適の値に維持される。垂直偏向出力回路５及び６は、図１に示すように内部中間タップ電圧調節システムを有し、該システムは両出力段５及び６の駆動をコイル２の両端間電圧が最適となるように調節する。かくして、ライン１３上の電源電圧ＶＰが調節されるので、上記中間タップシステムは正しいＤＣレベルの責任を負うであろう。
【００２７】
図２には、図１における適応型電源９の一実施例の構成が示されている。該適応型電源９はスイッチングトランジスタ１５を有し、該トランジスタは抵抗１６を経てのＶＦＢへの接続により完全導通状態まで駆動される。小さな電圧降下しか生じない故に、該スイッチングトランジスタ１５には電界効果電力トランジスタが使用される。更に、該適応型電源９はコイル１７、ダイオード１８及びコンデンサ５２により形成される基本回路を有する一方、当該電源９の測定及び調節は追加のトランジスタ１９の周りでなされる。ライン１０上の電圧（ＯＵＴＡ）の測定は、抵抗２０及び２１並びにダイオード２２により形成される測定回路を介してなされる。一方、ライン１１は、抵抗２０、ダイオード２３及び更なる抵抗２４により形成される測定回路を介して測定される。測定された電圧はトランジスタ１９のベースに供給される。ここにおいて、当該値は、設定値である該トランジスタ１９のエミッタの電圧と比較される。
【００２８】
しかしながら、トランジスタ１９のエミッタにおける電圧は、通常、完全には一定の安定した値とはならない。適応型電源９の適切な機能動作を保証するために、２種類の情報が使用される。
【００２９】
第１の種類の情報は、抵抗２５及び２６並びにポテンショメータ２７により形成される抵抗分圧回路により設定される。ポテンショメータ２７は当該分圧回路を調整することができるようにするために使用される。しかしながら、どの様な種類の陰極線管が上記偏向コイル２と一緒に使用されるかが事前に分かる場合は、ポテンショメータ２７の代わりに抵抗を使用することもできる。上記抵抗分圧回路は、ライン１３上のＶＰである当該システムの出力電圧に接続される。このようにして、所要の出力電流に関する幾らかの情報も得られる。高出力電圧が、垂直偏向回路１の出力段５及び６の出力トランジスタにおける大電流を示した。大出力電流値に対しては、出力段５及び６の出力トランジスタの間の電圧ロスも大きくなり、従って上記エミッタにおける基準値も大きくなければならない。理想的な情報は、垂直偏向回路１の偏向コイル２への出力電流の値である。
【００３０】
更に、抵抗２５及び２６並びにポテンショメータ２７により形成される上記抵抗分圧回路が、入力電力源２９に接続されたツェナーダイオード２８と協動して起動（スタートアップ）機能を実現することも分かる。
【００３１】
第２の種類の情報は、電力トランジスタ１５のソースに接続された抵抗３０を介して得られる。こちらの側では、スイッチングパルスが得られ、かくして斯かるパルスがトランジスタ１９のエミッタ側における調節情報に供給される。
【００３２】
この構成においては、本システムは、水平偏向コイル（図示略）から垂直偏向コイル２へのクロストークによりライン１０及び１１上の各々の信号ＯＵＴＡ及びＯＵＴＢに常に存在するラインリップルパルスを有利に利用する。該ラインリップルの周波数は例えば１５．６ｋＨｚであり、従って、トランジスタ１５用の基本スイッチング周波数として得られ且つ使用することができる。実際には、該ライン周波数は１０ｋＨｚと２００ｋＨｚとの間の如何なる値を有することもできる。
【００３３】
これまでに述べた構成要素を備える電源９は、走査の中間において電源電圧を非常に低い値に、該電源における幾つかの構成要素の正しい動作に要する最小の値よりも低くさえ、低下させる傾向にある。従って、該適応型電源９には、図２に破線で示す最小電源レベル設定回路３１が設けられ、該回路は抵抗２０、ダイオード３２並びに抵抗３３及び３４を有している。この最小電源レベル設定回路により、垂直偏向回路１へ出力する最小電源レベルが設定される。このようにして発生された情報は、ダイオード３２を介してトランジスタ１９のベースに供給される。
【００３４】
電源回路９は、更に、ライン３５を介してＶＦＢへの接続を有している。これは、フライバック電源を示している。テレビジョン装置又はモニタにおいて当該電圧が発生される場合、上記フライバック電源電圧は変調され得る。そのような場合、抵抗２０はＶｉｎｐｕｔに接続したほうが良いか、又は安定化された電圧をツェナーダイオードの助けにより発生することができる。
【００３５】
図３の回路は、ブリッジ構成の垂直偏向増幅器に接続されるべきものである。スイッチングトランジスタ１５は、トランジスタ３６，３７と、これらの前段３８とにより形成されるＢ級段により駆動される。制御は２つの差動対３９及び４０により実行される。対３９は出力の一方を一定の電圧レベルに保持し、対４０は出力電源電圧が低くなり過ぎるのを防止する。最小電源電圧は例えば７ボルトとすることができる。トランジスタ４１はフライバックの間に制御をオフとするが、さもなければ、該制御は電源電圧を不必要に増加させるであろう。フライバックの間、図１の出力段６の出力ＯＵＴＢは零となるが、当該変調器は反応すべきではない。
【００３６】
垂直段の最小出力電圧は可調整抵抗２７により調整することができる。インダクタの一方の側と差動対３９及び４０の各入力端との間の抵抗４２及び４３は、当該制御のスイッチング点をずらし、これによりヒステリシスを生成する。
【００３７】
出力ＯＵＴＡ及びＯＵＴＢは図１における垂直偏向コイル２に接続される。垂直偏向コイル２は水平偏向コイル（図示略）に近接しているので、水平偏向コイルから垂直偏向コイルへの僅かな量のクロストークが存在する。特に、水平フライバックパルスは、垂直偏向コイル２の両端上において非常に小さな電圧スパイクとして見られる。これらのスパイクは、通常、当該電源変調器がライン周波数でスイッチするのを保証するのに充分なほど大きい。
【００３８】
図３に提示した回路は、更なる改良を受けることができる。該回路はフライバック電源からの電力を幾らか消費する。該回路をもっと経済的にするために、図４に示すように、ブートストラップを使用することができる。コンデンサ４４は、トランジスタ１５がオフされている限りダイオード４５を介して充電される。該コンデンサ４４の電荷は、トランジスタ３６ないし３８を備える駆動回路にトランジスタ１５を制御するための電力を供給する。トランジスタ１５がオンされると、該トランジスタ１５のソースにおける電圧が、Ｖｉｎｐｕｔに等しく高くなる。この場合、コンデンサ４４の両端間電圧は持ち上げられる、即ちブートストラップされるので（該電圧が電源電圧と直列になる）、ダイオード４５は遮断される。このようにして、トランジスタ１５のゲート電圧は電源電圧Ｖｉｎｐｕｔより上昇され得る。最適な動作のためには、ブートストラップダイオード４５は可能な限り高速でなければならない。好ましい実施例においては、ショットキダイオードを使用することができる。
【００３９】
他のオプションは、図５に示すように、ＮＭＯＳ電力トランジスタ１５に代えてＰＭＯＳ電力トランジスタ４６を使用するものである。図５に見られるように、該回路はインバータとして作用する他のトランジスタ４７を含み、該インバータは図４の構成をＰＭＯＳトランジスタ４６の使用へと適応させる最も確かな方法である。他の例として、トランジスタ４８及び４９のコレクタを当該制御信号の符号を変更するために使用することもできる。対３９、４０の左側のトランジスタ５１、５０のコレクタは、前記垂直段の出力電圧が低過ぎる場合（５１）又はＶＰが低過ぎる場合（５０）にのみ電流を引き込む。この場合、上記出力段の出力の一方が過度に低いか又はＶＰが過度に低いかの何れかである。従って、１つのトランジスタのみが当該スイッチを“点弧”する。ここで、４８及び４９が当該スイッチを制御するために使用されることを想像されたい。４９及び４８の両コレクタは、前記垂直段の出力電圧が過度に高いか（４９）、又はＶＰが過度に高い（４８）場合に電流を引き込む。そして、何れのコレクタも、上記垂直段の出力電圧が低過ぎる、及びＶＰが低過ぎる場合にも電流を引き込むことはないであろう。問題は、このような状況が発生するとは想定されていないことである。しかし、前記垂直段の出力電圧又はＶＰの何れかが低過ぎる場合、一方のトランジスタは遮断されるが他方は依然として導通している。従って、両トランジスタ４８、４９が電流を引き込むか、又はこれらの一方のみが電流を引き込むかの何れかとなり、トランジスタ３８のベース・エミッタ間に電圧降下を生じる。このジレンマを解決する他の代替例は、正しい抵抗値を選択し、一方のトランジスタが導通している場合の該抵抗の両端間電圧が０．６Ｖより低くなるべきであることを要件とし、且つ、両差動対３９及び４０のテイル電流を同一に設定することであるが、上述したようにトランジスタ４７のインバータの方が、一層確実であるから好ましい。
【００４０】
図６は、ＶＰのグラフを、ＯＵＴＡ、ＯＵＴＢ及びコイル２を経る電流であるＩｃｏｉｌと共に示している。ここでは、特に図２及び図３に関連して上述した全ての特徴を見ることができ、例えば、図１におけるＩＣ７の連続した機能動作を保証するために前記最小電源レベル設定回路により設定される最小電力レベル５２が見られ、上記機能動作は、もしＶＰが零に低下されることが許容されるとしたら悪化されるものである。
【００４１】
本発明の好ましい実施例の上記説明を知れば、当業者であれば、添付請求項に記載された本発明の範囲内において多数の代替案及び他の実施例に即座に気付くであろう。従って、上記の特定的に示し且つ記載された実施例は本発明を限定するものとみなしてはならない。例えば、図１に関連して説明した垂直偏向回路は、記載し且つ図示したブリッジ構成以外の如何なる他の構成でもよく、例えば垂直偏向コイルを駆動するために単一の出力（及び単一の信号帰還）ラインが使用されるようなものでもよい。しかしながら、斯様な構成は、正及び負の電源の変調を必要とし、制御を複雑化させると共にコストを上昇させる。上述した好ましい実施例、特に図２に関係する実施例においては、電源は適応型として説明した。代替案として、異なった電源レベルを持つ別の電源を、これら電源のうちの適切なレベルを持つ一方を垂直偏向回路の電源入力端に接続するスイッチ手段と共に使用することもできる。ここでは、該調節器はスイッチ手段と追加の電力源とを有し、使用時に、上記電源出力と上記電力源及び追加の電力源の一方を第１入力端の入力に依存して接続し、好ましくは、上記追加の電力源が上記電力源よりも低い電圧を有するようにする。
【００４２】
上記においては前記適応型電源においてスイッチング電力トランジスタを説明したが、実際に使用される回路の他の制限及び特徴に応じて、如何なる他の種類のスイッチング手段（例えばサイリスタ、バイポーラトランジスタ等）も出力レベル決定手段との組合せで考えることができる。更に、上記スイッチング手段には、上述した実施例によれば、偏向コイルにおけるラインリップル周波数から導出されたスイッチング周波数信号が供給されるが、斯かるスイッチング周波数は、代替例として、任意選択的に外部手段を形成するような別の発生器により供給することもできる。また、本発明は垂直偏向に関連して説明したが、本発明は、ラインが垂直でフィールド走査方向が水平であるような、転置走査構成における水平偏向に関して使用することもできる。
【００４３】
本発明は好ましくは偏向回路に適用されるが、例えばフロントガラス・ワイパ用モータ等の時間的に変化する電源がコイルに供給されるような如何なる他の環境においても使用することができる。
【００４４】
尚、請求項において括弧内に記載された如何なる符号も当該請求項を限定するものとみなしてはならない。また、“有する”なる用語は請求項に記載されたもの以外の構成要素又はステップの存在を排除するものではない。また、単数表現の構成要素は複数の斯様な構成要素の存在を排除するものではない。本発明は、幾つかの個別要素を有するハードウェアにより、及び適切にプログラムされたコンピュータにより実施化することができる。幾つかの手段を列挙する装置の請求項において、これらの手段は１つの同一のハードウェア品目により具現化することができる。特定の手段が相互に異なる従属請求項において記載されているという事実は、これら手段の組合せが有利に使用することができないということを示すものではない。
【図面の簡単な説明】
【図１】図１は、本発明の一実施例による電源が組み込まれる垂直偏向回路を示す。
【図２】図２は、図１の垂直偏向回路に使用する電源の一実施例を示す。
【図３】図３は、図２の構成に対する本発明による第１の代替例を示す。
【図４】図４は、第２代替例を示す。
【図５】図５は、第３代替例を示す。
【図６】図６は、図３による電源の機能動作の一例を示すための、走査の間における電流及び電圧のグラフである。
【国際公開パンフレット】
2004515124.tif 000006
2004515124.tif 000007
2004515124.tif 000008
2004515124.tif 000009
2004515124.tif 000010
2004515124.tif 000011
2004515124.tif 000012
2004515124.tif 000013
2004515124.tif 000014
2004515124.tif 000015
2004515124.tif 000016
2004515124.tif 000017
2004515124.tif 000018
2004515124.tif 000019
2004515124.tif 000020
2004515124.tif 000021
2004515124.tif 000022
2004515124.tif 000023
【国際調査報告】
2004515124.tif 000024
2004515124.tif 000025
2004515124.tif 000026